【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
ビデオデータを処理するための方法であって、
ビデオシーケンスの符号化ピクチャを備えるコード化ビデオシーケンスを受信することと、
１に等しい、ピクチャ順序カウント（ＰＯＣ）値の差分に対応するクロックティックの数をシグナリングするための条件を、前記コード化ビデオシーケンスによって参照されるビデオパラメータセット（ＶＰＳ）シンタックス構造および前記コード化ビデオシーケンスによって参照されるシーケンスパラメータセット（ＳＰＳ）シンタックス構造のうちの少なくとも１つの中に直接、含む、前記コード化ビデオシーケンスについてのタイミングパラメータを受信することと、
前記タイミングパラメータに従って前記コード化ビデオシーケンスを処理することと
を備える、方法。
【請求項２】
前記コード化ビデオシーケンスを受信することは、前記符号化ピクチャの表現を形成するビットのシーケンスを備えるコード化ビットストリームを受信することを備え、前記方法は、
前記条件によって少なくとも部分的に定義される、コード化ピクチャバッファおよび復号ピクチャバッファのビデオバッファリングモデルへの、前記コード化ビットストリームの準拠を検証することをさらに備える、
請求項１に記載の方法。
【請求項３】
前記コード化ビデオシーケンスについての前記タイミングパラメータを受信することは、
タイムスケールとクロックティック中のユニットの数とを、前記ＶＰＳシンタックス構造および前記ＳＰＳシンタックス構造のうちの少なくとも１つの中で受信することをさらに備える、
請求項１に記載の方法。
【請求項４】
前記タイミングパラメータは、仮想参照復号動作についてのタイミングパラメータを備える、
請求項１に記載の方法。
【請求項５】
前記条件は、前記ＶＰＳシンタックス構造または前記ＳＰＳシンタックス構造の仮想参照復号器（ＨＲＤ）パラメータのシンタックス構造中のシンタックス要素への依存を含まない、
請求項１に記載の方法。
【請求項６】
前記ＶＰＳシンタックス構造は前記条件を含む、
請求項１に記載の方法。
【請求項７】
前記ＶＰＳシンタックス構造は、前記条件を、vps_poc_proportional_to_timing_flagシンタックス要素として含む、請求項６に記載の方法。
【請求項８】
前記ＳＰＳシンタックス構造は前記条件を含む、請求項１に記載の方法。
【請求項９】
ＳＰＳシンタックス構造は、前記条件を、sps_poc_proportional_to_timing_flagシンタックス要素として含む、
請求項８に記載の方法。
【請求項１０】
ビデオデータを符号化するための方法であって、
符号化ピクチャを備えるコード化ビデオシーケンスを生成するように、ビデオシーケンスのピクチャを符号化することと、
前記コード化ビデオシーケンスによって参照されるビデオパラメータセット（ＶＰＳ）シンタックス構造および前記コード化ビデオシーケンスによって参照されるシーケンスパラメータセット（ＳＰＳ）シンタックス構造のうちの少なくとも１つにおける、１に等しい、ピクチャ順序カウント（ＰＯＣ）値の差分に対応するクロックティックの数をシグナリングするための条件を直接シグナリングすることによって、前記コード化ビデオシーケンスについてのタイミングパラメータをシグナリングすることと
を備える方法。
【請求項１１】
前記条件は、仮想参照復号器（ＨＲＤ）パラメータのシンタックス構造中でシグナリングされるシンタックス要素への依存を含まない、
請求項１０に記載の方法。
【請求項１２】
前記タイミングパラメータをシグナリングすることは、
タイムスケールとクロックティック中のユニットの数とを、前記ＶＰＳシンタックス構造および前記ＳＰＳシンタックス構造のうちの少なくとも１つの中でシグナリングすることをさらに備える、
請求項１０に記載の方法。
【請求項１３】
前記条件を直接シグナリングすることは、前記ＶＰＳシンタックス構造中で前記条件をシグナリングすることを備える、
請求項１０に記載の方法。
【請求項１４】
前記ＶＰＳシンタックス構造中で前記条件をシグナリングすることは、前記条件を、vps_poc_proportional_to_timing_flagシンタックス要素としてシグナリングすることを備える、
請求項１３に記載の方法。
【請求項１５】
前記条件を直接シグナリングすることは、前記ＳＰＳシンタックス構造中で前記条件をシグナリングすることを備える、
請求項１０に記載の方法。
【請求項１６】
前記ＳＰＳシンタックス構造中で前記条件をシグナリングすることは、前記条件を、sps_poc_proportional_to_timing_flagシンタックス要素としてシグナリングすることを備える、
請求項１５に記載の方法。
【請求項１７】
前記符号化ピクチャの表現を形成するビットのシーケンスを備えるコード化ビットストリームを生成することをさらに備え、
前記タイミングパラメータは、前記コード化ビットストリームの準拠を検証するための、コード化ピクチャバッファおよび復号ピクチャバッファのビデオバッファリングモデルを少なくとも部分的に定義する、
請求項１０に記載の方法。
【請求項１８】
前記タイミングパラメータは、仮想参照復号動作についてのタイミングパラメータを備える、
請求項１０に記載の方法。
【請求項１９】
ビデオデータを処理するためのデバイスであって、
前記ビデオデータを記憶するように構成されたメモリと、
前記メモリと通信しているプロセッサとを備え、前記プロセッサは、
ビデオシーケンスの符号化ピクチャを備えるコード化ビデオシーケンスを受信することと、
１に等しい、ピクチャ順序カウント（ＰＯＣ）値の差分に対応するクロックティックの数をシグナリングするための条件を、前記コード化ビデオシーケンスによって参照されるビデオパラメータセット（ＶＰＳ）シンタックス構造および前記コード化ビデオシーケンスによって参照されるシーケンスパラメータセット（ＳＰＳ）シンタックス構造のうちの少なくとも１つの中に直接、含む、前記コード化ビデオシーケンスについてのタイミングパラメータを受信することと、
前記タイミングパラメータに従って前記コード化ビデオシーケンスを処理することと
を行うように構成される、デバイス。
【請求項２０】
前記コード化ビデオシーケンスを受信するために、前記プロセッサは、前記符号化ピクチャの表現を形成するビットのシーケンスを備えるコード化ビットストリームを受信するようにさらに構成され、
前記プロセッサは、前記条件によって少なくとも部分的に定義される、コード化ピクチャバッファおよび復号ピクチャバッファのビデオバッファリングモデルへの、前記コード化ビットストリームの準拠を検証することを行うようにさらに構成される、
請求項１９に記載のデバイス。
【請求項２１】
前記コード化ビデオシーケンスについての前記タイミングパラメータを受信するために、前記プロセッサは、前記ＶＰＳシンタックス構造および前記ＳＰＳシンタックス構造のうちの少なくとも１つの中で、タイムスケールとクロックティック中のユニットの数とを受信するようにさらに構成される、
請求項１９に記載のデバイス。
【請求項２２】
前記タイミングパラメータは、仮想参照復号動作についてのタイミングパラメータを備える、
請求項１９に記載のデバイス。
【請求項２３】
前記条件は、前記ＶＰＳシンタックス構造または前記ＳＰＳシンタックス構造の仮想参照復号器（ＨＲＤ）パラメータのシンタックス構造中のシンタックス要素への依存を含まない、
請求項１９に記載のデバイス。
【請求項２４】
前記ＶＰＳシンタックス構造は前記条件を含む、
請求項１９に記載のデバイス。
【請求項２５】
前記ＶＰＳシンタックス構造は、前記条件を、vps_poc_proportional_to_timing_flagシンタックス要素として含む、
請求項２４に記載のデバイス。
【請求項２６】
前記ＳＰＳシンタックス構造は、前記条件を含む、
請求項１９に記載のデバイス。
【請求項２７】
ＳＰＳシンタックス構造は、前記条件を、sps_poc_proportional_to_timing_flagシンタックス要素として含む、
請求項２６に記載のデバイス。
【請求項２８】
ビデオデータを符号化するためのデバイスであって、
前記ビデオデータを記憶するように構成されたメモリと、
前記メモリと通信しているプロセッサとを備え、前記プロセッサは、
符号化ピクチャを備えるコード化ビデオシーケンスを生成するように、ビデオシーケンスのピクチャを符号化することと、
前記コード化ビデオシーケンスによって参照されるビデオパラメータセット（ＶＰＳ）シンタックス構造および前記コード化ビデオシーケンスによって参照されるシーケンスパラメータセット（ＳＰＳ）シンタックス構造のうちの少なくとも１つにおける、１に等しい、ピクチャ順序カウント（ＰＯＣ）値の差分に対応するクロックティックの数をシグナリングするための条件を直接シグナリングすることによって、前記コード化ビデオシーケンスについてのタイミングパラメータをシグナリングすることと
を行うように構成される、デバイス。
【請求項２９】
前記条件は、仮想参照復号器（ＨＲＤ）パラメータのシンタックス構造中でシグナリングされるシンタックス要素への依存を含まない、
請求項２８に記載のデバイス。
【請求項３０】
前記タイミングパラメータをシグナリングするために、前記プロセッサは、前記ＶＰＳシンタックス構造および前記ＳＰＳシンタックス構造のうちの少なくとも１つの中で、タイムスケールとクロックティック中のユニットの数とをシグナリングするように構成される、
請求項２８に記載のデバイス。
【請求項３１】
前記条件を直接シグナリングするために、前記プロセッサは、前記条件を前記ＶＰＳシンタックス構造中でシグナリングするように構成される、
請求項２８に記載のデバイス。
【請求項３２】
前記条件を前記ＶＰＳシンタックス構造中でシグナリングするために、前記プロセッサは、前記条件を、vps_poc_proportional_to_timing_flagシンタックス要素としてシグナリングするように構成される、
請求項３１に記載のデバイス。
【請求項３３】
前記条件を直接シグナリングするために、前記プロセッサは、前記条件を前記ＳＰＳシンタックス構造中でシグナリングするように構成される、
請求項２８に記載のデバイス。
【請求項３４】
前記条件を前記ＳＰＳシンタックス構造中でシグナリングするために、前記プロセッサは、前記条件を、sps_poc_proportional_to_timing_flagシンタックス要素としてシグナリングするように構成される、
請求項３３に記載のデバイス。
【請求項３５】
前記プロセッサは、
前記符号化ピクチャの表現を形成するビットのシーケンスを備えるコード化ビットストリームを生成するようにさらに構成され、
前記タイミングパラメータは、前記コード化ビットストリームの準拠を検証するための、コード化ピクチャバッファおよび復号ピクチャバッファのビデオバッファリングモデルを少なくとも部分的に定義する、
請求項２８に記載のデバイス。
【請求項３６】
前記タイミングパラメータは、仮想参照復号動作についてのタイミングパラメータを備える、
請求項２８に記載のデバイス。
【請求項３７】
ビデオデータを処理するためのデバイスであって、
ビデオシーケンスの符号化ピクチャを備えるコード化ビデオシーケンスを受信するための手段と、
１に等しい、ピクチャ順序カウント（ＰＯＣ）値の差分に対応するクロックティックの数をシグナリングするための条件を、前記コード化ビデオシーケンスによって参照されるビデオパラメータセット（ＶＰＳ）シンタックス構造および前記コード化ビデオシーケンスによって参照されるシーケンスパラメータセット（ＳＰＳ）シンタックス構造のうちの少なくとも１つの中に直接、含む、前記コード化ビデオシーケンスについてのタイミングパラメータを受信するための手段と
を備える、デバイス。
【請求項３８】
前記コード化ビデオシーケンスを受信するための前記手段は、前記符号化ピクチャの表現を形成するビットのシーケンスを備えるコード化ビットストリームを受信するための手段を備え、前記デバイスは、
前記条件によって少なくとも部分的に定義される、コード化ピクチャバッファおよび復号ピクチャバッファのビデオバッファリングモデルへの、前記コード化ビットストリームの準拠を検証するための手段をさらに備える、
請求項３７に記載のデバイス。
【請求項３９】
前記コード化ビデオシーケンスについての前記タイミングパラメータを受信するための前記手段は、
タイムスケールとクロックティック中のユニットの数とを、前記ＶＰＳシンタックス構造および前記ＳＰＳシンタックス構造のうちの少なくとも１つの中で受信するための手段をさらに備える、
請求項３７に記載のデバイス。
【請求項４０】
前記タイミングパラメータは、仮想参照復号動作についてのタイミングパラメータを備える、
請求項３７に記載のデバイス。
【請求項４１】
前記条件は、前記ＶＰＳシンタックス構造または前記ＳＰＳシンタックス構造の仮想参照復号器（ＨＲＤ）パラメータのシンタックス構造中のシンタックス要素への依存を含まない、
請求項３７に記載のデバイス。
【請求項４２】
１つまたは複数のプロセッサによる実行時に、前記１つまたは複数のプロセッサに、
ビデオシーケンスの符号化ピクチャを備えるコード化ビデオシーケンスを受信させ、
１に等しい、ピクチャ順序カウント（ＰＯＣ）値の差分に対応するクロックティックの数をシグナリングするための条件を、前記コード化ビデオシーケンスによって参照されるビデオパラメータセット（ＶＰＳ）シンタックス構造および前記コード化ビデオシーケンスによって参照されるシーケンスパラメータセット（ＳＰＳ）シンタックス構造のうちの少なくとも１つの中に直接、含む、前記コード化ビデオシーケンスについてのタイミングパラメータを受信させ、
前記タイミングパラメータに従って前記コード化ビデオシーケンスを処理させる
ビデオデータを処理するための命令を記憶する、非一時的コンピュータ可読記憶媒体。
【請求項４３】
前記コード化ビデオシーケンスを受信するために、前記命令は、前記１つまたは複数のプロセッサにさらに、前記符号化ピクチャの表現を形成するビットのシーケンスを備えるコード化ビットストリームを受信させ、
前記命令は、前記１つまたは複数のプロセッサにさらに、前記条件によって少なくとも部分的に定義される、コード化ピクチャバッファおよび復号ピクチャバッファのビデオバッファリングモデルへの、前記コード化ビットストリームの準拠を検証させる、請求項４２に記載の非一時的コンピュータ可読記憶媒体。
【請求項４４】
前記コード化ビデオシーケンスについての前記タイミングパラメータを受信するために、前記命令は、前記１つまたは複数のプロセッサにさらに、前記ＶＰＳシンタックス構造および前記ＳＰＳシンタックス構造のうちの少なくとも１つの中で、タイムスケールとユニットの数とを受信させる、
請求項４２に記載の非一時的コンピュータ可読記憶媒体。
【請求項４５】
前記タイミングパラメータは、仮想参照復号動作についてのタイミングパラメータを備える、
請求項４２に記載の非一時的コンピュータ可読記憶媒体。
【請求項４６】
前記条件は、前記ＶＰＳシンタックス構造または前記ＳＰＳシンタックス構造の仮想参照復号器（ＨＲＤ）パラメータのシンタックス構造中のシンタックス要素への依存を含まない、
請求項４２に記載の非一時的コンピュータ可読記憶媒体。
【手続補正２】
【補正対象書類名】明細書
【補正対象項目名】０００４
【補正方法】変更
【補正の内容】
【０００４】
[0004]ビデオ圧縮技法は、ビデオシーケンスに固有の冗長性を低減または除去するために空間的（イントラピクチャ）予測および／または時間的（インターピクチャ）予測を実施する。ブロックベースのビデオコーディングでは、ビデオスライス（すなわち、ビデオフレームまたはビデオフレームの一部分）がビデオブロックに区分されてよく、これらのビデオブロックは、ツリーブロック、コーディングユニット（ＣＵ）および／またはコーディングノードと呼ばれることもある。ピクチャのイントラコード化（Ｉ）スライス内のビデオブロックは、同じピクチャの中の隣接ブロック内の参照サンプルに対する空間的予測を使用して符号化される。ピクチャのインターコード化（ＰまたはＢ）スライス内のビデオブロックは、同じピクチャの中の隣接ブロック内の参照サンプルに対する空間的予測、または他の参照ピクチャの中の参照サンプルに対する時間的予測を使用することができる。ピクチャはフレームと呼ばれることがあり、参照ピクチャは参照フレームと呼ばれることがある。
【手続補正３】
【補正対象書類名】明細書
【補正対象項目名】００４４
【補正方法】変更
【補正の内容】
【００４４】
[0053]さらに、ピクチャ順序カウント（ＰＯＣ）値は通常、ＰＯＣ値がスケーラブルビデオビットストリームのレイヤのうちのいずれかについての出力時間に比例する場合、スケーラブルビデオビットストリームのすべてのレイヤについての出力時間に比例する。ただし、ＨＥＶＣ  ＷＤ９仕様は、スケーラブルビデオビットストリーム中で、ＰＯＣ値がスケーラブルビデオビットストリームのすべてのレイヤまたはすべての可能なビットストリームサブセットについての出力時間に比例するというインジケーションをシグナリングすることを規定していない。スケーラブルビデオビットストリームの「レイヤ」への言及は、たとえば、スケーラブルレイヤ、テクスチャビュー、および／または深度ビューを指し得る。さらに、ＨＥＶＣ  ＷＤ９は、フラグpoc_proportional_to_timing_flagが、ＳＰＳのＶＵＩシンタックス構造中で常にシグナリングされることを指定するが、フラグpoc_proportional_to_timing_flagは、シンタックス要素time_scaleおよびnum_units_in_tickもビットストリーム中でシグナリングされない場合、有用性をもたない。